(57)【要約】 【課題】撮影場所と異なる場所にコンソールを用意する必要が無く、操作性を向上したＸ線撮影システムを提供する。【解決手段】Ｘ線撮影に用いられるＸ線画像検出システムは、照射されたＸ線量を電気信号に変換する変換素子を有し、前記変換素子から得られた電気信号に基づいてＸ線画像を生成する撮影部と、種々の表示を行うための表示パネルを有する表示部とを有し、撮影部は、その筺体に表示部を着脱可能に装着する装着部を有している。Ｘ線画像検出システムは、装着部に表示部が装着されているか否かに基づいて、撮影部または表示部に関わる制御が切り換割るように構成されている。【選択図】  図１
2014171550.tif 000002
【特許請求の範囲】
【請求項１】
Ｘ線撮影に用いられるＸ線画像検出システムであって、
照射されたＸ線量を電気信号に変換する変換素子を有し、前記変換素子から得られた電気信号に基づいてＸ線画像を生成する撮影部と、
種々の表示を行うための表示パネルを有する表示部と、
前記撮影部の筺体に前記表示部を着脱可能に装着する装着手段と、
前記装着手段に前記表示部が装着されているか否かに基づいて、前記撮影部または前記表示部に関わる制御を切り換える制御手段と、を備えることを特徴とするＸ線画像検出システム。
【請求項２】
前記制御手段は、前記表示部が前記装着手段に装着されている場合には、前記撮影部を撮影の開始指示を受け付けない撮影禁止の状態とし、前記表示部が前記装着手段に装着されていない場合には、前記撮影部を撮影の開始指示を受け付ける撮影許可状態とすることを特徴とする請求項１に記載のＸ線画像検出システム。
【請求項３】
前記制御手段は、前記表示部が前記装着手段に装着されている場合には、前記撮影部を電源オフの状態とし、前記表示部が前記装着手段に装着されていない場合には、前記撮影部を電源オンの状態とすることを特徴とする請求項１に記載のＸ線画像検出システム。
【請求項４】
前記装着手段は、前記表示部が装着された状態において、前記表示部が有する電源からの電力を前記撮影部へ供給する供給手段を有し、
前記制御手段は、前記表示部が前記装着手段に装着されている場合は、前記撮影部が有する電源による電力の供給を停止することを特徴とする請求項１または２に記載のＸ線画像検出システム。
【請求項５】
前記表示部が前記装着手段に装着されている場合に、前記制御手段は、患者情報および撮影条件の少なくともいずれかを含む情報を前記表示パネルに表示させることを特徴とする請求項１乃至４のいずれか１項に記載のＸ線画像検出システム。
【請求項６】
前記撮影部と前記表示部の間で通信を行う通信手段を更に備え、
前記制御手段は、前記表示部が前記装着手段に装着されていない場合に、前記通信手段を介して前記撮影部から前記表示部へＸ線画像を送信し、前記表示パネルに送信された該Ｘ線画像を表示させることを特徴とする請求項１乃至５のいずれか１項に記載のＸ線画像検出システム。
【請求項７】
前記表示部をネットワークまたは公衆回線に接続する接続手段を更に備え、
前記表示部は、前記接続手段を介して前記ネットワークまたは公衆回線に前記Ｘ線画像を送出することを特徴とする請求項６に記載のＸ線画像検出システム。
【請求項８】
前記装着手段は、同時に複数の表示部を装着することが可能であり、
前記制御手段は、前記装着手段における第１の表示部と第２の表示部の装着状態の組合せに基づいて前記撮影部または前記表示部の制御を切り換える、ことを特徴とする請求項１に記載のＸ線画像検出システム。
【請求項９】
前記制御手段は、前記装着手段に前記第１の表示部と前記第２の表示部が同時に装着されている場合には前記撮影部を撮影の開始指示を受け付けない撮影禁止の状態とし、前記第１の表示部が装着され、前記第２の表示部が装着されていない場合には、前記撮影部を撮影の開始指示を受け付ける撮影許可状態とする、ことを特徴とする請求項８に記載のＸ線画像検出システム。
【請求項１０】
Ｘ線撮影に用いられるＸ線画像検出装置であって、
照射されたＸ線量を電気信号に変換する変換素子を有し、前記変換素子から得られた電気信号に基づいてＸ線画像を生成する撮影部と、
前記撮影部の筺体に表示部を着脱可能に装着する装着手段と、
前記装着手段に表示部が装着されているか否かに基づいて、前記撮影部に関わる制御を切り換える制御手段と、を備えることを特徴とするＸ線画像検出装置。
【請求項１１】
Ｘ線撮影に用いられるＸ線画像検出装置に着脱可能な表示装置であって、
種々の表示を行うための表示パネルと、
前記Ｘ線画像検出装置に装着されているか否かを検出する検出手段と、
前記検出手段による検出結果に基づいて前記表示パネルの表示を切り換える制御手段と、を備えることを特徴とする表示装置。
【請求項１２】
照射されたＸ線量を電気信号に変換する変換素子を有し、前記変換素子から得られた電気信号に基づいてＸ線画像を生成する撮影部と、
種々の表示を行うための表示パネルを有する表示部と、を有するＸ線画像検出システムの制御方法であって、
前記撮影部の筺体に前記表示部を着脱可能に装着する装着手段に、前記表示部が装着されているか否かを検出する検出工程と、
前記検出工程による検出結果に基づいて、前記撮影部または前記表示部に関わる制御を切り換える制御工程と、を有することを特徴とするＸ線画像検出システムの制御方法。
【請求項１３】
照射されたＸ線量を電気信号に変換する変換素子を有し、前記変換素子から得られた電気信号に基づいてＸ線画像を生成するＸ線画像検出装置の制御方法であって、
前記Ｘ線画像検出装置の筺体に表示部を着脱可能に装着する装着手段に、表示部が装着されているか否かを検出する検出工程と、
前記検出工程の検出結果に基づいて制御を切り換える制御工程と、を有することを特徴とするＸ線画像検出装置の制御方法。
【請求項１４】
種々の表示を行うための表示パネルを備え、Ｘ線撮影に用いられるＸ線画像検出装置に着脱可能な表示装置の制御方法であって、
前記表示装置が前記Ｘ線画像検出装置に装着されているか否かを検出する検出工程と、
前記検出工程による検出結果に基づいて前記表示パネルの表示を切り換える制御工程と、を有することを特徴とする表示装置の制御方法。
【請求項１５】
コンピュータに、請求項１２乃至１４のいずれか１項に記載された制御方法の各工程を実行させるためのプログラム。
【発明の詳細な説明】
【技術分野】
【０００１】
本発明は、Ｘ線画像を撮影するＸ線画像検出システム、Ｘ線画像検出装置、表示装置、及びそれらの制御方法に関する。
【背景技術】
【０００２】
従来、病気診断等を目的として、Ｘ線等の放射線を用いて撮像されたＸ線画像が広く用いられている。また、Ｘ線画像検出器にて撮像されたＸ線画像に対して画像処理を施し、より鮮明なＸ線画像を生成するＸ線画像検出器が製品化されている。
【０００３】
Ｘ線撮影では、通常撮影者が撮影場所とは離れた位置にあるコンソールを操作し、患者情報、撮影部位情報等の撮影に必要な情報を得る。次に、撮影者は撮影場所まで行き、撮影のセッティング、患者への指示をおこなう。撮影する際、撮影者は被爆を避ける為に撮影場所と離れ、撮影をおこなう。撮影画像は、Ｘ線画像検出器からコンソールに有線、または無線で送信される。撮影者は、撮影場所から離れたコンソールに送信された撮影画像を確認する。
【０００４】
通常撮影では撮影者の移動が多く、煩雑である。撮影者が撮影場所とコンソールがある場所を往来する煩雑さを解消する為に、特開平０７−２４６１９９号公報または特願平１１−３４６７０８では、デジタルＸ線画像診断システムの表示部をデジタルＸ線画像診断システムに搭載している構成が提案されている。当該構成によれば、Ｘ線画像検出器に表示手段を有することにより、撮影者は患者情報を撮影場所で確認することができ、コンソールがある場所に戻る必要が無くなる。
【先行技術文献】
【特許文献】
【０００５】
【特許文献１】特開平０７−２４６１９９号公報
【特許文献２】特願平１１−３４６７０８号公報
【発明の概要】
【発明が解決しようとする課題】
【０００６】
しかしながら、上記各方法には、撮影後にＸ線画像検出器の表示手段に撮影画像を表示した場合に、撮影者は撮影場所まで確認に行かなければならないという課題がある。撮影者は撮影の際に撮影場所から離れなければならないので、撮影画像は撮影場所と異なる場所で確認できることが望ましい。また、撮影場所とは別の場所に撮影画像を表示するコンソールがある場合であっても、撮影操作を行う場所から遠い場合には、撮影画像をコンソールで確認するのに手間がかかる。
【０００７】
本発明は上記課題に鑑みてなされたものであり、撮影場所と異なる場所にコンソールを用意する必要が無く、操作性を向上したＸ線撮影システムを提供することを目的とする。
【課題を解決するための手段】
【０００８】
上記の目的を達成するための本発明の一態様によるＸ線画像撮影システムは以下の構成を備える。すなわち、
Ｘ線撮影に用いられるＸ線画像検出システムであって、
照射されたＸ線量を電気信号に変換する変換素子を有し、前記変換素子から得られた電気信号に基づいてＸ線画像を生成する撮影部と、
種々の表示を行うための表示パネルを有する表示部と、
前記撮影部の筺体に前記表示部を着脱可能に装着する装着手段と、
前記装着手段に前記表示部が装着されているか否かに基づいて、前記撮影部または前記表示部に関わる制御を切り換える制御手段と、を備える。
【発明の効果】
【０００９】
本発明によれば、撮影場所と異なる場所にコンソールを用意する必要が無く、操作性を向上したＸ線撮影システムが提供される。
【図面の簡単な説明】
【００１０】
【図１】実施形態に係るＸ線撮像システムの概略構成の一例を示す模式図。
【図２】実施形態におけるＸ線画像検出器の外形図の一例を示す図。
【図３】Ｘ線撮影の撮影前の様子を示す模式図。
【図４】Ｘ線撮影の撮影中の様子を示す模式図。
【図５】実施形態による撮影部の動作を説明するフローチャート。
【図６】実施形態による表示部の動作を説明するフローチャート。
【図７】複数の表示部の装着状態と制御の切り換えを説明する図。
【発明を実施するための形態】
【００１１】
以下、添付の図面を参照しながら、本発明の実施形態について説明する。
【００１２】
＜第一実施形態＞
図１は、第一実施形態に係るＸ線撮像システムの概略構成の一例を示す模式図である。本実施形態のＸ線撮像システムは、図１に示すように、Ｘ線に反応してＸ線画像データを生成するＸ線画像検出装置１０１、Ｘ線を照射するためのＸ線発生装置２０１を備える。また、Ｘ線画像検出装置１０１は、照射されたＸ線量を電気信号に変化する変換素子を有し、この変換素子から得られた電気信号に基づいてＸ線画像を生成するＸ線撮影装置である撮影部１０２と、種々の表示を行う表示装置である表示部１０３で構成される。また、表示部１０３は撮影部１０２の筺体に着脱可能に装着される。
【００１３】
撮影部１０２において、撮影部側ＣＰＵ１０５は、撮影部側メモリ１０６に格納されたプログラムや各種のデータを用いて、撮影部１０２全体の制御を行う。撮影部側メモリ１０６は、例えば、撮影部側ＣＰＵ１０５が処理を実行する際に用いるプログラムや各種のデータを保存する。また、撮影部側メモリ１０６には、撮影部側ＣＰＵ１０５の処理により得られた各種のデータ及び、Ｘ線画像データが保存される。撮影部１０２は、光電変換素子１０４に電圧を印加しない撮影準備状態と光電変換素子１０４に電圧を印加する撮影可能状態とを有する。
【００１４】
光電変換素子１０４は、２次元状に複数の画素が配設されて構成されており、アモルファスシリコンを主材料として形成されている。光電変換素子１０４は、不図示の蛍光板により可視光に変換されたＸ線を受光してＸ線画像信号として検出する。なお、本実施形態では可視光を電気信号に変換する光電変換素子１０４が用いられているが、Ｘ線量を直接電気信号に変換する変換素子が用いられてもよい。
【００１５】
駆動部１０８は、光電変換素子１０４を駆動してＸ線画像信号としての電気信号を読み出し、これをデジタルに変換してＸ線画像（Ｘ線画像データ、あるいは撮影画像ともいう）を得る。着脱検出部１０９は、表示部１０３が撮影部１０２に装着されている状態、もしくは撮影部１０２から外された状態を検出し、その検出結果を撮影部側ＣＰＵ１０５に伝達する。
【００１６】
撮影部側無線通信部１０７は、表示部１０３内の表示部側無線通信部１１３との間の無線通信を行う。この通信により、撮影部１０２と表示部１０３は患者情報などの情報や撮影画像（Ｘ線画像）を送受信することができる。撮影部１０２では撮影画像に撮影情報や受信した患者情報を付加することができる。また、撮影部側無線通信部１０７は病院内の他のＰＣと院内ネットワークなどのネットワークを通じてつながっており、そのネットワークとの間で患者情報や撮影画像を送受信できる。或いは、撮影部側無線通信部１０７は、公衆回線と接続する機能を有してもよい。撮影部側電源制御部１１０は、撮影部１０２への電源供給を制御する。
【００１７】
表示部１０３において、表示部側ＣＰＵ１１２は、表示部側メモリ１１１に格納されたプログラムや各種のデータを用いて、表示部１０３全体の制御を行う。表示部側メモリ１１１は、例えば、表示部側ＣＰＵ１１２が処理を実行する際に用いるプログラムや各種のデータを保存する。また、表示部側メモリ１１１は、たとえば、表示部側無線通信部１１３で受信した画像データ（Ｘ線画像）を保存する。
【００１８】
表示パネル１１４は、表示部側ＣＰＵ１１２の制御下で、患者情報及び撮影部位情報等の撮影情報、撮影画像を表示する。表示部側ＣＰＵ１１２は、例えば、撮影準備時では患者情報及び撮影部位情報等の撮影情報を、撮影後には撮影画像を表示するように表示パネル１１４を制御する。
【００１９】
表示部側無線通信部１１３は、撮影部側無線通信部１０７との間で通信を確立し、患者情報などの情報や撮影画像を送受信する。また、表示部側無線通信部１１３は、院内ネットワーク及び公衆回線につながり、患者情報や撮影画像を送受信する。表示部側電源制御部１１６は、表示部１０３の各部への電源の供給を制御する。なお、表示部１０３に不図示の操作ボタンやタッチパネルを設け、撮影者による種々の操作を入力可能としてもよい。
【００２０】
図２は、本実施形態におけるＸ線画像検出装置１０１の外形図の一例を示す図である。図２では、表示部１０３が撮影部１０２に装着された状態と、表示部１０３が撮影部１０２から外された状態とが示されている。撮影部１０２の筺体には表示部１０３を着脱可能に装着するための装着部が設けられている。本実施形態では、撮影部１０２のＸ線検出面（光電変換素子１０４が配置された側）の反対側の面（背面）に設けられた凹部に表示部１０３がはまるように構成されている。なお、表示部１０３の撮影部１０２への装着時に表示部１０３が撮影部１０２から脱落しないように不図示の保持機構が設けられている。そのような保持機構は周知であり、ここでは説明を省略する。なお、図２では、Ｘ線撮影カセッテの形態を示したが、立位での撮影を行うＸ線画像検出装置などに適用することも可能である。立位での撮影を行うＸ線画像検出装置の場合は、センサを保持する架台に表示部１０３のための装着部が設けられてもよい。
【００２１】
次に、本実施形態によるＸ線画像検出装置１０１を用いたＸ線撮像システムの動作について図３〜図５を参照して説明する。図３は、撮影部１０２に表示部１０３が装着された状態での撮影者の操作を説明する図であり、図４は、撮影部１０２から表示部１０３が離脱した状態での撮影者の操作を説明する図である。また、図５は撮影部側ＣＰＵ１０５、図６は表示部側ＣＰＵ１１２の処理を説明するフローチャートである。
【００２２】
まず、本実施形態のＸ線画像検出システムを用いたＸ線撮影の流れの概要を説明する。撮影者３０３は表示部１０３に表示された患者情報及び撮影部位情報等の撮影情報に従って、患者３０２とＸ線画像検出装置１０１の位置関係が撮影に適切な位置となるように配置する。撮影準備が完了すると、撮影者３０３は、被爆を防ぐためにＸ線撮影室３０１とは別の場所に移動する。このとき撮影者３０３は表示部１０３を撮影部１０２から取り外し、それを持って移動し、撮影を行う。Ｘ線発生装置２０１から照射されたＸ線は、撮影部１０２でデジタル画像に変換され、撮影部側無線通信部１０７から表示部１０３の表示部側無線通信部１１３へ無線で送信される。撮影者３０３は、表示部１０３に受信された撮影画像を確認し、撮影が終了する。もし、意図した撮影画像が得られなかった場合は、撮影者３０３は再度撮影をおこなう。
【００２３】
以上が、撮影者３０３が撮影準備を行い、撮影が完了するまでのＸ線画像撮像システムにおける動作である。次に、上述したようなＸ線撮影時の操作を実現するための処理の流れについて図５のフローチャートを参照して説明する。本実施形態では、表示部１０３がＸ線画像検出装置１０１に装着された状態と離脱した状態で、例えば、撮影部１０２の制御や表示部１０３の表示が切り換わるようにしている。
【００２４】
撮影者３０３は、患者３０２とともにＸ線撮影室３０１に入室し、撮影の準備をはじめる。撮影者３０３は、表示部１０３を持参し、これを撮影部１０２に装着する。表示部１０３が撮影部１０２に装着されたことを着脱検出部１０９が検出すると（Ｓ５０１でＹＥＳ）、撮影部側ＣＰＵ１０５は撮影部側無線通信部１０７を介して表示部１０３に装着状態であることを通知する（Ｓ５０２）。そして、撮影部１０２の撮影部側ＣＰＵ１０５や駆動部１０８等が撮影準備を行い、撮影部１０２は、撮影準備状態に移行する（Ｓ５０３）。この撮影準備状態では、撮影の開始指示は受け付けない、撮影禁止の状態となる（Ｓ５０４）。なお、Ｘ線発生装置２０１に対してＸ線照射を禁止するような構成を設けてもよい。たとえば、撮影部１０２からＸ線発生を禁止する信号をＸ線発生装置２０１に送信して、あるいはＸ線発生を許可する信号をＸ線発生装置２０１に送信しないようにして、Ｘ線の発生を禁止する。
【００２５】
一方、表示部１０３の表示部側ＣＰＵ１１２は、表示部側無線通信部１１３が撮影部１０２から装着状態であることの通知を受信すると（Ｓ６０１）、撮影時の設定に必要な情報（患者情報や撮影部位情報など）を表示パネル１１４に表示する（Ｓ６０２）。撮影者３０３は、表示部１０３が表示する情報（患者情報、撮影部位情報、撮影条件など）を参照して、患者３０２をＸ線画像検出装置１０１の撮影面に対して適当な位置に配置し、撮影準備をおこなう。なお、本実施形態では、表示部１０３の装着を検出した撮影部側ＣＰＵ１０５が撮影部側無線通信部１０７を介して表示部１０３に装着の通知を行うことで、表示部１０３が撮影に必要な情報を表示するが、これに限られるものではない。たとえば、表示部１０３が撮影部１０２への装着を検出する着脱検出部（図１の着脱検出部１０９ａ）を具備し、この検出結果に応じて表示を切り換えるようにしてもよい。
【００２６】
次に、撮影者３０３は、表示部１０３を撮影部１０２から取り外してＸ線撮影室とは別の場所（部屋）に行く。表示部１０３がＸ線画像検出装置１０１から取り外されると、着脱検出部１０９が表示部１０３の離脱を検出する（Ｓ５０１でＮＯ）。撮影部側ＣＰＵ１０５は、表示部１０３の離脱が検出されると、非装着状態であることを撮影部側無線通信部１０７を介して表示部１０３に通知し（Ｓ５１０）、撮影部側ＣＰＵ１０５は撮影部１０２の状態を撮影可能状態に切り換える（Ｓ５１１）。そして、撮影部側ＣＰＵ１０５は、撮影開始の指示を待つ（Ｓ５１２）。
【００２７】
撮影者３０３は、Ｘ線撮影室とは別の場所においてＸ線発生装置２０１のＸ線曝射スイッチを押す。Ｘ線曝射スイッチによる曝射開始は撮影部１０２にも通知され、撮影部側ＣＰＵ１０５は、撮影を開始する（Ｓ５１３）。撮影部１０２では、光電変換素子１０４から得られた電気信号をデジタル変換することによりＸ線画像データを生成し、これを撮影部側メモリ１０６に保存する（Ｓ５１４）。そして、撮影部側ＣＰＵ１０５は、Ｘ線画像データを撮影部側無線通信部１０７を介して表示部１０３へ送信する（Ｓ５１５）。なお、撮影部１０２は、ネットワークや公衆回線を介して、ＰＣなどの外部装置へＸ線画像を送出するようにしてもよい。
【００２８】
表示部１０３の表示部側ＣＰＵ１１２は、表示部側無線通信部１１３により撮影部１０２から非装着状態の通知を受信すると（Ｓ６０１）、撮影部１０２からＸ線画像データが送信されるのを待つ（Ｓ６１０）。表示部側ＣＰＵ１１２は、表示部側無線通信部１１３が撮影部１０２からＸ線画像データを受信すると、これを表示部側メモリ１１１に格納し（Ｓ６１１）、そのＸ線画像を表示パネル１１４に表示する（Ｓ６１２）。撮影者３０３は、表示パネル１１４に表示された撮影画像を確認して、撮影を終了する。なお、表示部１０３の操作により、表示部側無線通信部１１３から、ネットワークや公衆回線を介して、ＰＣなどの外部装置へＸ線画像を送出するようにしてもよい。
【００２９】
なお、本実施形態では、表示部１０３の離脱を検出した撮影部側ＣＰＵ１０５が撮影部側無線通信部１０７を介して表示部１０３に非装着の通知を行うが、これに限られるものではない。上述したように、表示部１０３が撮影部１０２への装着を検出する着脱検出部１０９ａを具備し、この検出結果に応じて表示処理を切り換えるようにしてもよい。
【００３０】
以上のように、第一実施形態のＸ線画像検出システムによれば、表示部１０３が撮影部１０２に装着されているか否かに応じて撮影部の制御や表示部の制御が切り換わる。たとえば、表示部１０３が撮影部１０２に装着されている場合には、表示パネル１１４に撮影設定のための情報が表示され、操作者はこの表示を参照して撮影部１０２の位置やＸ線発生装置２０１によるＸ線の照射位置を設定することができる。
【００３１】
＜第二実施形態＞
次に、第二実施形態について図１、図３及び図４を参照して説明する。第一実施形態では、表示部１０３が装着されている場合に撮影部１０２の状態を撮影準備状態として撮影を禁止する（撮影開始を受け付けない）ようにした。第二実施形態では、撮影準備状態において撮影部１０２を電源オフとし、撮影可能状態詩とて撮影部１０２を電源オンとする構成を説明する。
【００３２】
撮影者３０３が、表示部１０３をＸ線撮影室に持ち込み、撮影部１０２に装着すると、撮影部１０２の着脱検出部１０９がこれを検出する。表示部１０３が撮影部１０２に装着された状態では撮影準備状態となるので、着脱検出部１０９が表示部１０３の装着を検出すると、撮影部側ＣＰＵ１０５は、撮影部側電源制御部１１０による撮影部１０２への電源供給をオフにする。なお、この処理は、たとえば、図５のＳ５０３とＳ５０４の代わりに、撮影部側ＣＰＵ１０５が撮影部側電源制御部１１０による電源供給をオフする処理を実行することで実現できる。
【００３３】
表示部１０３では、着脱検出部１０９ａにより撮影部１０２に装着されたことが検出されると、表示部側ＣＰＵ１１２が表示パネル１１４に患者情報や撮影部位情報等を表示する。撮影者３０３は、表示部１０３の表示パネル１１４を確認して、患者情報や撮影部位情報等を得る。撮影者３０３は、撮影準備が完了すると、表示部１０３を撮影部１０２からはずす。
【００３４】
表示部１０３が撮影部１０２から外されて、着脱検出部１０９が表示部１０３の離脱を検出すると、撮影部側ＣＰＵ１０５は、撮影部側電源制御部１１０による電源供給を開始させる（撮影部側電源制御部１１０による電源供給をオンする）。この制御を実現するために、表示部１０３の装着による電源供給のオフでは、撮影部側ＣＰＵ１０５や着脱検出部１０９による表示部１０３の装着検出と電源供給再開のために必要な電力供給は維持されているものとする。
【００３５】
以降のＸ線画像検出装置１０１やＸ線発生装置２０１の操作、撮影者３０３による操作は、第一実施形態と同様である。すなわち、撮影者３０３は、Ｘ線撮影室とは別の場所にいき、Ｘ線発生装置２０１のＸ線曝射スイッチをおす。光電変換素子１０４から得られた電気信号は撮影部１０２によってデジタル変換されて、Ｘ線画像（撮影画像）として撮影部側メモリ１０６に保存される。撮影画像は、撮影部側無線通信部１０７を介して表示部側無線通信部１１３へ送信される。表示部１０３の表示部側無線通信部１１３で受信された撮影画像は、表示パネル１１４に表示される。撮影者３０３は、表示パネル１１４に表示された撮影画像を確認して、撮影を終了する。
【００３６】
なお、上記第二実施形態では、表示部１０３の装着状態に応じた撮影部１０２の電源供給制御として、表示部１０３が撮影部１０２に装着された場合に撮影部１０２における電源の供給を停止する構成を説明したが、これに限られるものではない。たとえば、表示部１０３が撮影部１０２に装着されている間、撮影部１０２では撮影部側電源制御部１１０からの電力供給を停止し、表示部側電源制御部１１６からの電力供給を受けるようにしてもよい。このような構成によれば、たとえば、上述したような、電源供給再開のために必要な電力供給を、表示部１０３から行うように構成することができる。
【００３７】
＜第三実施形態＞
上記各実施形態では、撮影部１０２の筺体に一つの表示部１０３が装着される構成を示したが、これに限られるものではなく、複数の表示部１０３が装着可能な構成としてもよい。たとえば、被検者に第１の表示部を所持させ、撮影者に第２の表示部を所持させ、撮影部１０２におけるこれら表示部の装着状態の組合せに基づいて、撮影部１０２や表示部の制御を切り換えるようにしてもよい。たとえば、図７に示すように制御を切り換えることが挙げられる。なお、被検者が所持する第１の表示部は、撮影部１０２に装着されたことの通知あるいは検出に応じて、患者情報を含む撮影情報を表示するものとし、図７においては記載を省略した。
【００３８】
撮影部１０２には撮影者の情報を登録することができる。撮影者は第２の表示部を持った状態で撮影室に入室し、撮影部１０２に第２の表示部を装着する。撮影部１０２は登録してある撮影者情報をもとに撮影者が適当であるかを判断する。また、第２の表示部には撮影情報を表示する。撮影情報は、たとえばその日の患者の順番やどの部位をとるかなどの情報などをさす。被験者は第１の表示部を持った状態で撮影室に入室し、撮影部１０２に第１の表示部を装着する。撮影部１０２は病院内の他のＰＣまたは院内ネットワークなどを通じて例えば患者情報や撮影部位情報などを取得する。第１の表示部が撮影部１０２に装着されると、撮影部１０２は被験者が適当な人であるかを判断する。適当であると判断すると、撮影部１０２は撮影準備状態に移行する。第１の表示部には、患者撮影補助情報を表示する。患者撮影補助情報は、患者に撮影する部位を伝え、ポーズなどを取らせる為の情報や撮影の際の注意事項である。第２の表示部には患者情報や撮影条件情報を表示する。患者情報は、患者毎の過去画像や患者の病名、また撮影条件情報は、撮影線量などの設定情報などである。
【００３９】
撮影の準備が完了し、撮影者が撮影部１０２から第２の表示部をはずすと、撮影部１０２は撮影可能状態に移行する。第２の表示部には、撮影条件情報撮影者は撮影室から離れた場所で例えば第２の表示部から撮影開始指示をＸ線発生装置２０１に送信することができる。撮影終了後は、被験者が第１の表示部を撮影部１０２からはずすと、たとえば撮影部１０２の電源がＯＦＦになる。
【００４０】
上記の表示制御によれば、第１の表示部と第２の表示部が、同時に撮影部１０２に装着された状態になると、各表示部には患者情報を含む撮影情報が表示されるので、撮影者は、患者情報を照合して、被検者を確認することができる。また、被検者が所持する第１の表示部の装着を維持し、第２の表示部を撮影部１０２から取り外すことで撮影許可状態となる。そして、第２の表示部が取り外されると撮影部１０２の電源がオフとなる。この際、撮影を禁止した状態とすることもできる。第１の表示部はＸ線撮影を終えて被検者が退室する際に取り外されるため、撮影中に正しく患者が存在していることの確認にもなる。
【００４１】
以上のように、各実施形態によれば、撮影フローに合わせた画像の表示により、撮影設定の確認、撮影画像の確認を迅速にすることができ、Ｘ線撮影の操作フローに合わせた撮影操作をより効率的におこなうことができるため、撮影画像確認時間を短縮できる。また、撮影場所と異なる場所にコンソールを用意する必要が無く、経済的でもある。
【００４２】
なお、前述した実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【００４３】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014171550.tif 000003
【図２】
2014171550.tif 000004
【図３】
2014171550.tif 000005
【図４】
2014171550.tif 000006
【図５】
2014171550.tif 000007
【図６】
2014171550.tif 000008
【図７】
2014171550.tif 000009